(57)【要約】【課題】斬新で、摺動部材の挿着や棚板の位置変更が容易かつ迅速に行なえる棚板等の受け具の基部構造を提供する。【解決手段】縦長かつその長手方向に溝４が形成され、該溝内に摺動部材３を係止する複数箇所の係止部５が設けられた柱状体から成る一対の壁面部材２と、壁面部材２の溝内を摺動可能かつ係止部５に対し、可動係止片７を介して係脱自在に設けられた摺動部材３とから構成され、前記壁面部材２の前記溝４内に前記摺動部材３を挿着すると前記可動係止片７が張り出し前記溝４内の前記係止部５に係止し前記スライドブロックの下降が阻止される。【選択図】      図８
2005013555.tif 000002
【特許請求の範囲】
【請求項１】
商品を壁面に陳列する棚、アーム状吊下げ具或いはフック陳列具等受け具の基部構造であって、
縦長で柱状体の溝が長手方向に形成され、該溝内に左右対称に一定間隔の係止部が形設された壁面部材と、
前記壁面部材の前記溝内に摺動するスライドブロックが挿着され、該スライドブロック内に弾性体の弾性力により下端部がスライドブロックの両側に張出可能な可動係止片を備えた摺動部材と、
前記摺動部材に突設された支持腕とから構成され、
前記壁面部材の前記溝内に前記摺動部材を挿着すると前記可動係止片が張り出し前記溝内の前記係止部で係止し前記スライドブロックの下降が阻止されることを特徴とする棚板等の受け具の基部構造。
【請求項２】
前記摺動部材は、前記壁面部材の溝内を摺動するスライドブロックと、該スライドブロックの肉厚内に略平行状態に収納されかつ上端が回転中心となって弾性体の弾性力により下端部が開閉する回動部によりスライドブロックの両側方向に張出可能に構成された可動係止片とからなることを特徴とする請求項１記載の棚板等の受け具の基部構造。
【請求項３】
前記壁面部材の溝内に設けられた一定間隔の係止部は、前記摺動部材の可動係止片が上端側を中心に開いた際に下端部側がスライドブロックの両側方向に張出し得る係止空間から成り、かつ該係止空間内に前記可動係止片の張出端面を係止し得る係止座面を有することを特徴とする請求項１又は２記載の棚板等の受け具の基部構造。
【請求項４】
前記摺動部材に設けられた可動係止片の上端側側方に雄形円弧状摺動面を形設し、該雄形円弧状摺動面に対向するスライドブロック側に雌形円弧状摺動面を形設して、前記両円弧状摺動面が係合しかつ摺動して開閉作動をすることを特徴とする請求項１から３のいずれか１記載の棚板等の受け具の基部構造。
【請求項５】
前記スライドブロックの両側面に張出した前記可動係止片の張出端面が前記壁面部材の係止座面に係止された際に、該可動係止片の上端が前記スライドブロック内の上方に形成された円弧面に当接すると同時に、張出した可動係止片の側面が前記係合空間の壁面に当接し、更に前記スライドブロックの後端面が前記壁面部材の溝底面に当接することにより棚荷重が支持されることを特徴とする請求項１ないし４のいずれか１記載の棚板等の受け具の基部構造。
【請求項６】
前記可動係止片を開閉する弾性体が、板ばね、スプリング等のばね材から成ることを特徴とする請求項１ないし５のいずれか１記載の棚板等の受け具の基部構造。
【請求項７】
前記スライドブロック側にピンを固定し、前記可動係止片が開いた際に該可動係止片の上端側相互間が密接すると同時に前記ピンを挟持し得る構成であることを特徴とする請求項１ないし６のいずれか１記載の棚板等の受け具の基部構造。
【請求項８】
前記可動係止片は、前記壁面部材の溝に挿入する際の挿入側端面に挿入を容易にする面取が形設されていることを特徴とする請求項１ないし７のいずれか１記載の棚板等の受け具の基部構造。
【発明の詳細な説明】
【０００１】
【発明の属する技術分野】
本発明は、デパートその他の販売店などにて商品を壁面に陳列する棚、アーム状吊下げ具或いはフック陳列具等受け具の基部構造に関する。
【０００２】
【従来の技術】
従来から棚板等の受け具は、例えば図１０及び１１に示すように商品などを壁面に陳列するために、水平方向に複数の鈎状溝３１が形成された広い板状壁面部材３２を壁面に取り付け、この壁面部材３２の鈎状溝３１に対応して係止し得る形状の鈎状係止片３３を有する摺動部材３４を係止するもので、適当な高さの溝３１を選択しかつ水平方向の任意の位置に係止することができるものが公知である。
【０００３】
また、特許文献１（図１２）に示されるように、柱状の壁面部材４１の縦方向における複数箇所に係止穴４２が形成され、一方、摺動部材４３側に前記係止穴４２に対応して係止し得る鈎状係止片４４が形成されており、適当な高さの係止穴４２を選択して摺動部材４３を係止するものが公知である。
【０００４】
【発明が解決しようとする課題】
しかし、前記従来の棚板等の受け具はそれなりに目的を達し得るものと思われるが、本願発明は前記従来の２例とは構成を異にする斬新なもので、しかも摺動部材の係脱や棚板の位置変更が容易かつ迅速に行い得る棚板等の受け具の基部構造の提供を目的とするものである。
【０００５】
【課題を解決するための手段】
上記目的を達成するため、本発明の棚板等の受け具の基部構造に係る請求項１は、商品を壁面に陳列する棚の棚板等の受け具の基部構造であって、縦長で柱状体の溝が長手方向に形成され、該溝内に左右対称に一定間隔の係止部が形設された壁面部材と、前記壁面部材の前記溝内に摺動するスライドブロックを挿着され、該スライドブロック内に弾性体の弾性力により下端部がスライドブロックの両側に張出可能な可動係止片を備えた摺動部材と、前記摺動部材に突設された棚板支持腕とから構成され、前記壁面部材の前記溝内に前記摺動部材を挿着すると前記可動係止片が張り出し前記溝内の前記係止部に係止し前記スライドブロックの下降が阻止されることを特徴とする。
請求項１によれば、縦長で長手方向に一定間隔で溝が形成されかつ柱状体に形成されているので、壁面部材の配置間隔が自由であり、高さを任意に調節できる。また、溝内に一定間隔の係止部が複数箇所に設けられているので、係止部の高さを選択して摺動部材を迅速に係脱することができる。さらに、摺動部材の着脱を容易に行うことが出来る。
【０００６】
請求項２は、前記摺動部材は、前記壁面部材の溝内を摺動するスライドブロックと、該スライドブロックの肉厚内に略平行状態に収納されかつ上端が回転中心となって弾性体の弾性力により下端部が開閉する回動部によりスライドブロックの両側方向に張出可能に構成された可動係止片とからなることを特徴とする。
請求項２によれば、摺動部材を構成するスライドブロックの肉厚内に可動係止片が平行状態にて収納されており、この可動係止片が弾性体の弾性力によりスライドブロックの両側方向に張出可能に構成されているので、この可動係止片が弾性体の弾性力により自動的に開くことにより開壁面部材の係止部に係止され、係止部以外の溝中ではスライドブロック内に収納されることにより溝内を自由に移動することが可能であり又は引き抜くことも可能である。これによりスライドブロックを適当な位置に移動して他の係止部に係止することができるので係止位置の変更が容易である。
【０００７】
請求項３は、前記壁面部材の溝内に設けられた複数箇所の係止部は、前記摺動部材の可動係止片が上端側を中心に開いた際に下端部側がスライドブロックの両側方向に張出し得る係止空間から成り、かつ該係止空間内に可動係止片の張出端面を係止し得る係止座面を有することを特徴とする。
請求項３によれば、壁面部材の溝内に設けられた複数箇所の係止部は、摺動部材の可動係止片が上端側を中心に開いた際の下端部側がスライドブロックの両側方向に張出し得る係止空間から成り、かつ該係止空間内に可動係止片の張出端面を係止し得る係止座面を有するので、可動係止片は係止空間内で自動的に開いてその端面が係止座面に係止され、かつ係止部から脱出するときは可動係止片が係止空間の壁面に押圧されて自動的にスライドブロック内に収納され、溝内を自由に移動することが可能な状態になる。
【０００８】
請求項４は、前記摺動部材に設けられた可動係止片の上端側側方に雄形円弧状摺動面を形設し、該雄形円弧状摺動面に対向するスライドブロック側に雌形円弧状摺動面を形設して、前記両円弧状摺動面が係合しかつ摺動して開閉作動をすることを特徴とする。
請求項４によれば、可動係止片の上端側方に形成された雄形円弧状摺動面と、スライドブロック側の対向する面に形成された雌形円弧状摺動面の両者が係合しかつ摺動することにより可動係止片の開閉が円滑に行なわれる。
【０００９】
請求項５は、前記スライドブロックの両側面に張出した前記可動係止片の張出端面が前記壁面部材の係止座面に係止された際に、該可動係止片の上端が前記スライドブロック内の上方に形成された円弧面に当接すると同時に、張出した可動係止片の前面が前記係合空間の壁面に当接し、更に前記スライドブロックの後端面が前記壁面部材の溝底面に当接することにより棚荷重が支持される構成であることを特徴とする。
請求項５によれば、スライドブロックの両側面に張出した前記可動係止片の張出端面が壁面部材の係止座面に係止された際に、可動係止片の上端がスライドブロック内の上方に形成された円弧面に当接すると同時に、張出した可動係止片の側面が係合空間の壁面に当接し、更にスライドブロックの後端面が壁面部材の溝底面に当接することにより棚荷重が確実に支持される。
【００１０】
請求項６は、前記可動係止片を開閉する弾性体が、板ばね、スプリング等のばね材から成ることを特徴とする。
請求項６によれば、可動係止片を開閉する弾性体がばね材から成るので、開閉に必要な弾性力が確実に得られ、かつ構成を簡素にすることができる。
【００１１】
請求項７は、前記スライドブロック側にピンを固定し、前記可動係止片が開いた際に該可動係止片の上端側相互間が密接すると同時に前記ピンを挟持し得る構成であることを特徴とする。
請求項７によれば、摺動部材は壁面部材から取り外した際に可動係止片が自由空間内にて何者にも制約されずに開くが、開くと同時にスライドブロック側に固定されたピンを挟持する構成になっているので可動係止片がスライドブロックから脱落し、紛失することが防止される。
【００１２】
請求項８は、前記可動係止片は、前記壁面部材の溝に挿入する際の挿入側端面に挿入を容易にする面取が形設されていることを特徴とするものである。
請求項８によれば、壁面部材に装着する前の可動係止片は、弾性体の弾性力にてスライドブロックの両側面に張出していて壁面部材の溝には挿入しにくい状態になっているが、可動係止片の挿入側端面に面取が形設されているので面取部の傾斜面にて可動係止片が後退させられ挿入が可能になる。
【００１３】
【発明の実施の形態】
以下、本発明の実施の形態を図面に基づいて説明する。
図１から図９は本発明の実施の形態に係り、図１は棚板等の受け具の概略構成を示す図、図２は壁面部材に摺動部材を係止した一部正面図、図３は図２のＡ−Ａ矢視断面図、図４及び５は摺動部材の斜視図、図６は摺動部材の端面図。図７は可動係止片の収納状態を示す図３のＢ−Ｂ矢視断面図、図８は可動係止片の係止状態を示す図３のＢ−Ｂ矢視断面図、図９は可動係止片の斜視図である。
【００１４】
本発明の棚板等の受け具の基部構造を、デパートその他の販売店などにて商品を壁面に陳列する棚を形成する棚板等の受け具１に使用した例で説明する。図１から３及び図７及び８に示すように、縦長でかつその長手方向に溝４が形成され、その溝４内には左右対称で、摺動部材３を係止する複数箇所の係止部５，５，５…が一定間隔で設けられている。そして一対の壁面部材２の係止部５に対して棚板６を支持する摺動部材３が可動係止片７を介して係脱自在に構成されたものである。なお、溝４の入り口には、図３に示すように、摺動部材３の摺動及び装着を安定させる一対のガイド壁８が長手方向に形成されている。
【００１５】
なお、本実施の形態では、図８に示す壁面部材２の溝幅Ｗが９ｍｍに、複数の係止部５それぞれの間隔Ｐが２５ｍｍに設定されている。
【００１６】
前記摺動部材３は、図２から６に示すように壁面部材２の溝内にて摺動可能なスライドブロック９と、図７に示すようにスライドブロック９の肉厚内に略平行状態にて収納されかつ図８に示すように上端側７ａが回転中心となって弾性体１０、即ちばねの弾性力により下端部側７ｂが開閉してスライドブロック９の両側方向に張出可能に構成された一対の可動係止片７と、このスライドブロック９の前方に突設された棚板支持腕１１（図及４び５）とから構成される。ちなみに本実施の形態ではスライドブロック９の肉厚が８〜８．８ｍｍに設定され、前記壁面部材２側の溝幅９ｍｍ内での摺動が容易になっている。
【００１７】
一方、図８に示すように、壁面部材２の溝４内に設けられた一定間隔で複数箇所の係止部５は、摺動部材３の可動係止片７が上端７ａ側を中心にして開いた際に下端部側７ｂがスライドブロック９の両側方向に張出し得る係止空間１２から成り、かつこの係止空間１２内に可動係止片７の張出端面７ｃが係止される係止座面１３が形設されている。
【００１８】
また、図８に示すように、前記摺動部材３に設けられた可動係止片７は、その上端側７ａの側方に雄形円弧状摺動面１４が形設され、この雄形円弧状摺動面１４に対向するスライドブロック７側に雌形円弧状摺動面１５が形設されて、前記両円弧状摺動面１４，１５が係合しその相互間が摺動することにより開閉作動が円滑に行なわれるように構成されている。
【００１９】
そして、前記スライドブロック９の両側面に張出した可動係止片７の張出端面７ｃが前記壁面部材２の係止座面１３に係止された際に、この可動係止片７の上端７ｄが前記スライドブロック９の可動係止片収納空間内における上方に形成された円弧面１６に当接し、同時に、張出した可動係止片７の側面７ｆ（図４）が係止空間１２の壁面１２ａ（図３）に当接し、更にスライドブロック９の後端面９ａ（図３、図５）が壁面部材２の溝底面２ａに当接することにより棚荷重が支持される。
【００２０】
また図７及び８に示すように、スライドブロック９に可動係止片７を収納する空間１７内にはピン１８が立設されており、可動係止片７が開いた時に可動係止片７の上端側７ａ相互間が密接する（図８）と同時にこのピン１８を挟持し得るように構成されている。これにより摺動部材３を壁面部材２から抜き取って可動係止片７がばね１０の弾性力にて自動的に開いた状態になっても可動係止片７はピン１８を挟持しているので脱落することが防止される。
【００２１】
それから、摺動部材３のスライドブロック９を壁面部材２の溝４に挿入する場合に、可動係止片７が自由空間内にて開いた状態、即ち可動係止片７の下端部７ｂ（図８）がスライドブロック９の両側方向に張出しているので溝４には挿入しにくい状態になっているが、この場合に挿入を容易にする対策として、本発明では図９に示すように可動係止片７の挿入側（矢印方向）端面に面取７ｅを施して傾斜面を形成し、この傾斜面を溝４の入り口に当接させることにより斜面が押圧されて可動係止片７が収納空間１７内に押し込められつつ挿入が可能になるようにしている。
【００２２】
次に、上記構成の棚板等の受け具の基部構造１の作用について説明する。
壁面部材２の溝４に挿入する前の摺動部材３は図４から６に示すように可動係止片７の下端部側がスライドブロック９の両側方向に張出した状態になっている。この状態で摺動部材３のスライドブロック９を壁面部材２の溝４に押し当てると可動係止片７が溝４の入り口に当接して挿入しにくい状態になるが、可動係止片７の挿入方向における面には面取７ｅが施されているので更に強く押し込むことにより可動係止片７はこの面取部７ｅの傾斜面を介してスライドブロック９の収納空間１７内に押し込められて挿入が可能になる。
【００２３】
そしてスライドブロック９内に可動係止片７が押し込められた状態の摺動部材２３は、図７に示すよう係止空間１２から完全に抜け出した状態になっているので壁面部材２の溝４に沿って自由に移動することが可能になる。そして壁面部材２の係止空間１２の位置に移動したところで図８に示すように可動係止片７がばね１０の弾性力にて自動的に開き、スライドブロック９の両側方向に張出し、下端部部側７ｂの端面１３が壁面部材２の係止座面１３に係止される。この状態の可動係止片７は張出端部７ｂが係止座面１３に係止されると同時に、張出した可動係止片７の側面７ｆが図３に示すように係止空間１２の壁面１２ｂに当接し、可動係止片７の上端７ｄ（図８）がスライドブロック９の収納空間１７上方の円弧面１６に当接すると共に、スライドブロック９の後端面９ａ（図３、図５）が壁面部材２の溝底面２ａに当接することにより棚荷重が支持される状態となる。
【００２４】
更に詳述すれば、このように壁面部材２に係止された摺動部材３は図８に示す係止状態から上方に摺動させることにより可動係止片７の背面７ｇが係止空間１２の傾斜壁面１２ａに押圧れて図７に示すようにスライドブロック９の肉厚内に押し込められ略平行状態に収納される。
【００２５】
このように可動係止片７がスライドブロック９内に収納された状態になればそのまま壁面部材２から抜き取ることができる。また、引き抜かないでスライドブロック９を少し手前に引いた状態を保てば上下方向の任意の位置に移動することができ、適当な位置まで移動して壁面部材側に係止部５に係止する場合は、その位置でスライドブロック９を溝４の奥まで押し込もことにより可動係止片７が係止空間１２内に自動的に開いて前記と同様にその端面７ｃが係止座面１３に係止される。
【００２６】
【発明の効果】
本発明の棚板等の受け具の基部構造によれば、壁面部材が縦長かつその長手方向に溝４が形成され柱状体に形成されているので、壁面部材の配置間隔が自由であり、また溝内の複数箇所に係止部が設けられているのでこれを選択して適当な高さに摺動部材を係止することができる。
【００２７】
また、壁面部材に係止する摺動部材は、スライドブロックの両側壁に弾性体の弾性力にて可動係止片が自動的に張出する構成であるので、壁面部材の溝内を自由に移動させて適当な位置の係止部に容易かつ迅速に係脱することができる。
【図面の簡単な説明】
【図１】本発明の実施の形態に係る棚板等の受け具の基部構造の概略構成を示す図である。
【図２】壁面部材に摺動部材を係止した一部正面図である。
【図３】図２のＡ−Ａ矢視断面図である。
【図４】摺動部材の斜視図である。
【図５】摺動部材の斜視図である。
【図６】摺動部材の端面図である。
【図７】可動係止片の収納状態を示す図３のＢ−Ｂ矢視断面図である。
【図８】可動係止片の係止状態を示す図３のＢ−Ｂ矢視断面図である。
【図９】可動係止片の斜視図である。
【図１０】従来の棚板等の受け具の基部構造の説明図である。
【図１１】従来の棚板等の受け具の基部構造の説明図である。
【図１２】従来の棚板等の受け具の基部構造の説明図である。
【符号の説明】
１…棚板等の受け具の基部構造，２…壁面部材，３…摺動部材，４…溝，５…係止部，６…棚板，７…可動係止片，８…ガイド壁，９…スライドブロック，１０…弾性体（ばね），１１…棚板支持腕，１２…係止空間，１３…  係止座面，１４…雄形円弧状摺動面，１５…雌形円弧状摺動面，１６…円弧面，１７…可動係止片収納空間，１８…ピン
【図１】
2005013555.tif 000003
【図２】
2005013555.tif 000004
【図３】
2005013555.tif 000005
【図４】
2005013555.tif 000006
【図５】
2005013555.tif 000007
【図６】
2005013555.tif 000008
【図７】
2005013555.tif 000009
【図８】
2005013555.tif 000010
【図９】
2005013555.tif 000011
【図１０】
2005013555.tif 000012
【図１１】
2005013555.tif 000013
【図１２】
2005013555.tif 000014